(57)【要約】【課題】タッチパネルによるＡＦ動作とレリーズ動作の操作性を改善する撮像機器を提供すること。【解決手段】  上記目的を達成するために、本発明は、撮像光学系及び撮像素子を有した撮像部と、少なくとも文字又は画像の情報を表示する画像表示部と、該画像表示部の前面に設けられたタッチパネルと、該タッチパネルの押された位置を検出するタッチ検出手段と、該画像表示部における主被写体の領域を検出する主被写体検出手段と、特定領域を変位させて凸部を形成する透明又は半透明であり、該タッチパネルに略平行に設けられた変位デバイスと、を備え、該主被写体検出手段が検出した領域に応じて、該変位デバイスにより変位する領域を制御し、ユーザが該変位デバイスの変位した領域を、押下した変形状態に応じてオートフォーカス動作とシャッター動作を行うことを特徴とする構成とした。【選択図】  図１
2019004346.tif 000002
【特許請求の範囲】
【請求項１】
撮像光学系及び撮像素子を有した撮像部と、
少なくとも文字又は画像の情報を表示する画像表示部と、
該画像表示部の前面に設けられたタッチパネルと、
該タッチパネルの押された位置を検出するタッチ検出手段と、
該画像表示部における主被写体の領域を検出する主被写体検出手段と、 
特定領域を変位させて凸部を形成する透明又は半透明であり、該タッチパネルに平行に設けられた変位デバイスと、を備え、 
該主被写体検出手段が検出した領域に応じて、該変位デバイスにより変位する領域を制御し、 
ユーザが該変位デバイスの変位した領域を、押下した変形状態に応じてオートフォーカス動作とシャッター動作を行うことを特徴とする撮像機器。 
【請求項２】
撮影状態の時、前記変位デバイスの複数の変形領域の内の１つ以上の領域が、常に凸部を形成し、凸部を押下した変形状態に応じてオートフォーカス動作とシャッター動作を行うことを特徴とする請求項１に記載の撮像機器。
【請求項３】
主被写体の焦点評価値を算出する焦点評価値算出手段を設け、 
該焦点評価値に応じて、前記特定領域の変位量を制御することを特徴とする請求項１または２に記載の撮像機器。 
【請求項４】
前記変位デバイスを押下してシャッター動作を行った後、 
前記変位デバイスの変形を形成する為の作用力を変化させることを特徴とする請求項１乃至３のいずれか１項に記載の撮像機器。 
【請求項５】
前記主被写体検出手段は、前記画像表示部に表示された顔の領域を検出することを特徴とする請求項１乃至４のいずれか１項に記載の撮像機器。 
【請求項６】
ユーザが撮像機器の主電源をオンにした時、または外装面に配設されたレリーズボタンを半押しした時、またはユーザがタッチパネルを触った時、前記主被写体検出手段が主被写体を検出することを特徴とする請求項１乃至５のいずれか１項に記載の撮像機器。 
【請求項７】
オートフォーカス動作を行う時、ほぼ同時に自動露光、オートホワイトバランスの内、少なくとも一つ以上を行うことを特徴とする請求項１乃至６のいずれか１項に記載の撮像機器。
【発明の詳細な説明】
【技術分野】
【０００１】
本発明は、撮像部を有する表示機器に関し、特にタッチディスプレイ上の被写体を検出した領域に、凸領域を形成する撮像機器に関するものである。
【背景技術】
【０００２】
従来、タブレットやデジタルカメラ等の撮像機器は、ＡＦ機能やタッチ検出機能が搭載されている。ＡＦ機能は、被写体を自動的に合焦させるものであり、コントラストＡＦや位相差ＡＦにより、指定された領域の被写体距離に応じて、合焦するための撮影レンズの駆動を行う。タッチ検出手段機能では、タッチパネル上でＡＦ対象となる被写体を選択してＡＦ動作を行った後に、再度、タッチパネル上の任意の位置を選択することでシャッターレリーズ動作を行うことが可能であった。
【０００３】
例えば特許文献１では、デジタルカメラに抵抗膜式タッチパネルを設け、タッチした１点目位置をＡＦおよび露出制御動作を指定し、２点目位置でシャッターレリーズ動作を行うデジタルカメラが開示されている。また特許文献２では、タッチパネル上に表示された被写体に１点目のタッチをするとＡＦおよびＡＥ動作を行い、続けてタッチパネル上でダブルクリックするとシャッターレリーズ動作を行うタッチパネル操作式カメラが開示されている。
【先行技術文献】
【特許文献】
【０００４】
【特許文献１】特開２００９−１０７７７号公報
【特許文献２】特開平１１−１３６５６８号公報
【発明の概要】
【発明が解決しようとする課題】
【０００５】
しかしながら、上述の特許文献に開示された特許文献１と特許文献２では、少なくとも２点タッチ以上で、ＡＦ動作とレリーズ動作を行うためユーザの操作が煩雑である。またタッチパネルによるレリーズ動作では、公知であるメカニカルのボタンを有したレリーズＳＷと異なり、レリーズ動作時の指先の触覚に作用する刺激が少ない。また特許文献１では、タッチパネル近傍に複数の指が近接することより、ユーザが意図しない指の接触によりレリーズ動作を行う可能性があるという課題があった。
【０００６】
そこで、本発明の目的は、
（１）タッチパネルへの最小のタッチ回数で、ＡＦ動作とレリーズ動作を行うことで、操作性を改善することである。
（２）レリーズ動作時の指先の触覚に作用する感覚を向上させることである。
（３）ユーザの意図しないレリーズ動作を軽減することを可能とする撮像機器を提供することである。
【課題を解決するための手段】
【０００７】
上記目的を達成するために、本発明は、撮像光学系及び撮像素子を有した撮像部と、
少なくとも文字又は画像の情報を表示する画像表示部と、該画像表示部の前面に設けられたタッチパネルと、該タッチパネルの押された位置を検出するタッチ検出手段と、該画像表示部における主被写体の領域を検出する主被写体検出手段と、 特定領域を変位させて凸部を形成する透明又は半透明であり、該タッチパネルに略平行に設けられた変位デバイスと、を備え、 該主被写体検出手段が検出した領域に応じて、該変位デバイスにより変位する領域を制御し、ユーザが該変位デバイスの変位した領域を、押下した変形状態に応じてオートフォーカス動作とシャッター動作を行うことを特徴とする。
【発明の効果】
【０００８】
本発明によれば、
（１）タッチパネルへの最小のタッチ回数で、ＡＦ動作とレリーズ動作を行うことで操作性を改善することができる。
（２）レリーズ動作時の指先の触覚に作用する感覚を向上することができる。
（３）ユーザの意図しないレリーズ動作を軽減することを可能とした撮像機器を提供することができる。
【図面の簡単な説明】
【０００９】
【図１】本発明の実施例1における撮像機器のシステム構成図。
【図２（ａ）】本発明の実施例1における撮像機器の背面を示す外観図。
【図２（ｂ）】本発明の実施例1における撮像機器の側面を示す外観図。
【図３】本発明の実施例1におけるシステム制御部の処理フローを示すフローチャート。
【図４（ａ）】本発明の実施例1における画像表示部上の座標を示す図。
【図４（ｂ）】本発明の実施例1における変位デバイスの座標を示す図。
【図５】本発明の実施例1における変位デバイスの半押し状態と全押し状態を示す図。
【図６】本発明の実施例1における外装面のレリーズＳＷを廃止した時の状態を示す図。
【図７】本発明の実施例２における撮像機器のシステム構成図。
【図８（ａ）】本発明の実施例２における変位デバイスの状態を示す図。
【図８（ｂ）】本発明の実施例２における変位デバイスの凸面の高さの状態を示す図。
【図９】本発明の実施例における、変位デバイスへの作用力Ｆを示す図。
【発明を実施するための形態】
【００１０】
以下に、本発明の好ましい実施の形態を、添付の図面に基づいて詳細に説明する。図１は、本発明の実施形態にかかわる撮像機器１を示す図である。
【００１１】
［実施例１］
以下、図１乃至図５を参照して、本発明の第1の実施例について説明する。まず図１に示す、本発明が適用された撮像機器１のシステム構成図について説明する。また補足として撮像機器１の背面の外観図を図２（a）に示し、側面の外観図を図２（ｂ）に示す。
【００１２】
図１に示されるように、撮像機器１は、レンズ部２、撮像素子３、Ａ／Ｄ変換回路４、画像処理部５、固定ＳＷ６、記録媒体７、画像表示部８、変位デバイス９、タッチ検出手段１０、全体の制御を司るシステム制御部１１から構成される。
【００１３】
レンズ部２は、ズーム倍率を変化させるズーム群と、後述する撮像素子３に焦点を合わせるためのフォーカス群と、絞り機構等が構成されており、これら構成部品は後述するシステム制御部１１の指令信号に基づき駆動する。
【００１４】
撮像素子３は、CCD又はCMOS等であり、レンズ部２を透過した被写体像が結像し、画像信号に光電変換する。Ａ／Ｄ変換回路４は、撮像素子３によって光電変換されたアナログ画像信号をデジタル画像信号に変換する。画像処理部５は、撮像機器１が撮影状態に設定されているとき、撮像素子３から画像情報を繰り返し取得し、デジタル画像信号の色や階調等を整え、生成した表示用画像データを画像表示部８に出力する。これにより画像表示部８にスルー画が表示される。
【００１５】
また画像処理部５は、公知の山登りのコントラストＡＦや、不図示の距離を測定するラインセンサを有した位相差ＡＦにより、被写体までの合焦位置を算出する。その算出結果はシステム制御部１１へ送信され、システム制御部１１はフォーカス群を駆動することにより合焦する。
【００１６】
固定ＳＷ６は、レリーズ動作を指令する外装面に配設されたレリーズSW６ａと、撮像機器１の主電源をオンオフする電源ＳＷ６ｂと、撮影モード（全自動、風景、クローズアップ等）の変更や撮像機器１の設定値を変更するメニューＳＷ６ｃで構成されている。レリーズSW６ａは、公知の半押し状態と全押し状態が判別可能な２段SWとなっている。半押し状態になると、システム制御部１１は合焦するためのＡＦ動作の指令信号を送信する。更に続けて、全押し状態になると、シャッター動作がなされ撮像素子３に結像された被写体像を撮像する。
【００１７】
記録媒体７は、メモリーカードやＤＶＤのディスク等の半導体メモリ、その他のリムーバブルな記録装置であり、撮像機器１に着脱自在となっている。また記録媒体７はフラッシュメモリ等の不揮発性メモリでもあり、撮像機器１の設定情報等を記憶し、書換え可能で、主電源をオフにしてもデータは消えない。
【００１８】
画像表示部８および変位デバイス９およびタッチ検出手段１０について説明する。画像表示部８は、撮像機器１の背面に配設された液晶ディスプレイ（ＬＣＤ）等であり、ユーザが所望の操作を行うと、記録媒体７に記憶されている画像や、撮像機器１の設定メニューや、スルー画が表示される。
【００１９】
尚、変位デバイス９とタッチ検出手段１０は、公知である特表2011-508935号公報に記載された構成を用いればよい。変位デバイス９とタッチ検出手段１０は、透明又は半透明の材質であり、いずれも画像表示部８の表示面８ａを覆うように実質平行に配設されている。画像表示部８の前面には変位デバイス９が配設されて、変位デバイス９の前面にはタッチ検出手段１０が配設される。
【００２０】
変位デバイス９は、システム制御部１１の指令に基づき、内部の空洞部が拡張し、図２（ａ）に示すように、表面の特定領域が変形することで、タッチ検出手段１０の柔軟なシートが変形して、タッチ検出手段１０上に、凸面１０ａを形成する。また変位デバイス９は、各座標に応じて複数の空洞部を有しており、システム制御部１１の各座標に対する指令信号に基づき、複数の特定領域が変形可能である。また変位デバイス９は、特定領域の変位量を検出するセンサが内蔵されており、その検出値をシステム制御部１１へ送信する。
【００２１】
タッチ検出手段１０は、任意の位置に指が触れる等して押下されると、タッチした位置の座標が検出され、この座標情報がシステム制御部１１に送信され、システム制御部１１は所定の処理を実行する。システム制御部１１は、この座標により、画像表示部８に表示されている各種機能の内、何が選択されたかを判断し、選択に応じた機能を動作させる。
【００２２】
タッチ検出手段１０の材質は、弾性的な柔軟なシートであることより、変位デバイス９の特定領域が変形して凸面を形成するに従い、シートも変形して凸面を形成する。タッチ検出手段１０は、変位デバイス９を介して画像表示部８に重ねて配設されており、タッチ検出手段１０のパネル上の位置と画像表示部８の表示画面上の位置は一対一に対応している。尚、画像表示部８と変位デバイス９とタッチ検出手段１０は、単一構造として一体化しても良い。また変位デバイス９は上記公報（特表2011-508935）とは異なる構成を示す、特開2009-181198公報、特開2006-285785公報に記載された構成を用いてもよい。
【００２３】
システム制御部１１は、システム全体を制御し、CPU、メモリ（ROM、RAM）の機能を備えている。システム制御部１１は、タッチ検出手段１０や固定ＳＷ６からの入力信号に応じて、メモリに記憶されているプログラムを実行して、撮像機器１を構成する各部を制御し、所定の処理を行う。
【００２４】
システム制御部１１は、ユーザがレリーズSW６ａ又は後述する変位デバイス９により撮像画像のシャッター処理（全押し）を選択した時、撮像素子３から入力された画像信号に基づいて所定の画像形式、例えばJPEG形式の画像データを記録媒体７に記憶する。またシステム制御部１１は、生成した画像データに基づいて、表示用データを生成し、画像表示部８に表示する。
【００２５】
システム制御部１１は、主被写体を検出する主被写体検出手段１１ａを備え、主被写体を検出した時、画像表示部８上における座標情報を取得する。主被写体を検出する手法としては、平均的な主被写体の画像をテンプレートで予め用意しておき、入力された画像とテンプレートのマッチングを行う等、公知の手法を採用することが可能であるので、ここでは詳細な説明は省略する。
【００２６】
主被写体検出手段１１ａは、メニューＳＷ６ｃで指定された撮影モードに応じて、検出対象とする被写体を変更する。例えば、全自動モードやポートレートモードの検出対象は顔画像であり、クローズアップモードの検出対象は花や小物の画像である。主被写体検出手段１１ａが、主被写体を検出するトリガーは、電源ＳＷ６ｂをオンにした撮影状態の時や、レリーズSW６ａを半押しした時や、タッチ検出手段１０のいずれかの領域をタッチした時である。
【００２７】
次に、図３を参照して、システム制御部１１の処理フローについて説明する。Ｓ１０１は、処理の開始であり、電源ＳＷをオンにして撮影状態の時、またはレリーズSW６ａを半押しにした時、またはタッチ検出手段１０のいずれかの領域をタッチした時、等である。Ｓ１０２へ移行する。
【００２８】
Ｓ１０２では、設定された撮影モードを読み込み、撮影モードに応じた主被写体の画像のテンプレートをメモリから読出しする。尚、図３における処理フローでは、撮影モードはポートレートモード（顔画像）に設定されていることとする。Ｓ１０３へ移行する。
【００２９】
Ｓ１０３では、画像処理部５の算出によって得られた、被写体画像の中心付近または被写体画像の複数の位置を、位相差ＡＦ処理またはコントラストＡＦ処理を行う。主被写体検出手段は、ＡＦ処理によって合焦した被写体画像全体から、顔画像を合焦ターゲットとして検出する。合焦ターゲットは複数検出することが可能である。複数の合焦ターゲットを検出した場合、合焦ターゲットの順位付けは、合焦ターゲットが被写体画像に占める割合や、被写体画像の中心座標からの距離などによる方法を用いることができる。Ｓ１０４へ移行する。
【００３０】
Ｓ１０４では、合焦ターゲットを検出しなかった場合、Ｓ１０３へ移行して合焦ターゲットの検出を繰り返す。合焦ターゲットを少なくとも１つ以上検出した場合は、Ｓ１０５へ移行する。
【００３１】
Ｓ１０５では、座標演算部１１ｂより、画像表示部８上における、各画素に対応した合焦ターゲットの座標情報を取得してメモリに記憶する。この座標情報は、被写体画像上に合焦ターゲットが抽出された全範囲の座標や、合焦ターゲットが抽出された範囲の重心位置の座標や、合焦ターゲットの目や鼻の座標、等とする。図４（ａ）に示すよう、図３における処理フローでは、顔画像２点を合焦ターゲットとして検出し、それぞれの顔画像で抽出された範囲の重心位置が（Ｘ１,Ｙ１）と（Ｘ２,Ｙ２）であるとする。Ｓ１０６へ移行する。
【００３２】
Ｓ１０６では、座標演算部１１ｂより、画像表示部８上における合焦ターゲットの座標情報を、変位デバイス９上における座標へ変換する。図４（ｂ）に変位デバイス９上における座標No１〜No４２を示す。この場合、画像表示部８上の各画素に対応した座標に対し、変位デバイス９上の座標は分解能が大きい。よって、画像表示部８上の座標（Ｘ,Ｙ）を変換する際、変位デバイス９上の座標No１〜No４２にもっとも近接した位置に変換して、変換後の座標をメモリに記憶する。これより、座標変換は、（Ｘ１,Ｙ１）はNo９に変換されて、（Ｘ２,Ｙ２）はNo２６に変換される。Ｓ１０７へ移行する。
【００３３】
Ｓ１０７では、Ｓ１０６でメモリに記憶された座標に対応する変位デバイス９（No９,No２６）に対して、変形して凸面を形成する指令信号を送信する。この時、凸面の変形量は、変位デバイス９の最大変形量でもよいし、任意の変形量でもよい。
【００３４】
また凸面を形成した変位デバイス９と、凸面を形成した近傍のタッチ検出手段１０の領域に対して、レリーズSW６ａが有する半押し機能と全押し機能を付加する。これよりタッチ検出手段１０へのタッチと変位デバイス９の変形量との組み合わせに応じて、半押し機能または全押し機能を種々に設定することが可能である。
【００３５】
図５を参照して、その種々の設定の２パターン（ＣＡＳＥ１,ＣＡＳＥ２）について説明する。ＣＡＳＥ１では、タッチ検出手段１０へのタッチを検出して、変位デバイス９の変位量（αmm）が変わらない時は、半押し状態とする。次にタッチ検出手段１０へのタッチを検出して、変位デバイス９の変位量（α-βmm）となった時、全押し状態とする。ＣＡＳＥ２では、タッチ検出手段１０へのタッチを検出して、変位デバイス９の変位量（αmm）が変わらない時は、無検出の状態とする。またタッチ検出手段１０へのタッチを検出して、変位デバイス９の変位量がα-βmmとなった時、半押し状態とする。更に、タッチ検出手段１０へのタッチを検出して、変位デバイス９の変位量がα-β-γmmとなった時、全押し状態とする。
【００３６】
尚、ＣＡＳＥ１とＣＡＳＥ２で説明した変位デバイス９の変位量ではなくても、圧力や撓み量等を検出するセンサの値に応じて、半押し機能と全押し機能を付加してもよい。Ｓ１０８へ移行する。
【００３７】
Ｓ１０８では、ユーザの操作によりレリーズSW６ａ又は変位デバイス９が、任意の時間以上、半押し状態になっているかを判定する。任意の時間以上、半押し状態であれば、Ｓ１０９へ移行する。任意の時間未満、半押し状態であった場合は、Ｓ１１２へ移行する。
【００３８】
Ｓ１０９では、半押し状態を示す入力信号が変位デバイス９によるものか、レリーズSW６ａによるものかを判定する。変位デバイス９の場合、Ｓ１１０へ移行する。レリーズSW６ａの場合、Ｓ１１１へ移行する。
【００３９】
Ｓ１１０では、ユーザがタッチ又は押下した変位デバイス９の主被写体に対して、スポットＡＦを実行する。Ｓ１１２へ移行する。
【００４０】
Ｓ１１１では、撮像機器１に設定されていた、画像全体を基準に合焦するマルチＡＦ、または画像中央付近の被写体に合焦する中央重点ＡＦ、またはスポットＡＦ等を実行する。Ｓ１１２へ移行する。尚、Ｓ１１０とＳ１１１ではＡＦ動作のみを行ったが、同時に画像の明るさが適正になるようＡＥ動作を行い、また画像が適正な色バランスになるようオートホワイトバランス（ＡＷＢ）動作を行ってもよい。Ｓ１１２では、ユーザの操作によりレリーズSW６ａ又は変位デバイス９が、全押し状態になっているかを判定する。Ｓ１１３へ移行する。Ｓ１１３では、シャッター動作を行い、撮像素子３により得られた画像信号に各種画像処理を施したあと、画像データを記録媒体７に記憶して、一連の処理を終了する。
【００４１】
尚、上述した実施例１の形態では、外装面にレリーズSW６ａを配設したが、図６に示すように、レリーズＳＷ６ａを取除き、変位デバイス９の複数の変形領域の１つの領域が、常に凸面１０ｂを形成することで、レリーズＳＷ６ａの機能を代替えしてもよい。凸面１０ｂは、主被写体検出手段１１ａの算出結果とは無関係に、常に凸面を形成し、凸面を押下することでＡＦ動作やＡＥ動作やＡＷＢ動作やシャッター動作を実行することが可能である。
【００４２】
上記実施例１の効果として、
（１）タッチ検出手段１１の最小のタッチ回数でＡＦ動作とレリーズ動作を行うことで操作性が改善することができる。
（２）レリーズ動作時に、変位デバイス９の凸面の反力とストローク量により、指先の触覚に作用する感覚を向上することができる。
（３）変位デバイス９の凸部の変位量に応じて、ＡＦ動作とシャッター動作が可能となることより、ユーザの意図しないレリーズ動作を軽減する。
（４）撮影状態の時、常に変位デバイス９の１つの領域に凸面を形成することで、外装面に配置されたレリーズＳＷ９ａを廃止しても、従来と同等の操作性を備え、デザイン性の向上やコストダウンを行えることを可能とする。
【００４３】
［実施例２］（合焦度について記載）
以下、図７から図８を参照して、本発明の第２の実施例について説明する。上述した実施例１と同じ部分は省略する。図７における撮影装置のシステム構成図を説明する。
【００４４】
焦点評価値算出手段２１ａは、システム制御部２０に記憶されたプログラムである。焦点評価値算出手段２１ａは、主被写体検出手段１１ａにより主被写体が存在する領域を特定する。その特定した領域をＡＦ評価エリアに設定して、コントラスト法により各主被写体の焦点評価値のピークを検出するか、位相差ＡＦの測距センサにより各主被写体の焦点評価値を検出する。
【００４５】
次にシステム制御部２０は、複数の主被写体が検出された時、合焦ターゲットの順位付けを、主被写体が画像に占める割合や、被写体画像の中心座標からの距離等により決定し、順位が最も高い主被写体へフォーカス群を駆動して合焦する。
【００４６】
次にシステム制御部２０は、順位が最も高い主被写体の焦点評価値に応じて、変位デバイス９の変形量を算出し、変位デバイス９に変形の指令を送信し、凸面１０ｃを形成する。また他の順位が低い主被写体は、順位が最も高い主被写体の焦点評価値との差分量等に応じて、変位デバイス９の変形量を算出し、変位デバイス９に変形の指令を送信し、凸面１０ｄを形成する。
【００４７】
上記実施例２の効果として、焦点評価値に応じて主被写体の凸部の高さが変化することより、ユーザはタッチ検出手段１０近傍を見た瞬間に、合焦度の信頼性を確認できる。これより、次にユーザが行うシャッター動作や合焦ターゲットの切換えまでに有する時間を短縮することができる。
【００４８】
尚、上述した実施形態では、図３に示すＳ１１０でＡＦ動作を行った後に、Ｓ１１２で全押しするか否かの判断へ移行した。
【００４９】
異なる実施形態として、Ｓ１１０でＡＦ動作を行った後、変位デバイス９の変形を形成する作用力Ｆ（図９）を変化させて、振動を作用させた後に、Ｓ１１２へ移行してもよい。また同様にＳ１１３のシャッター動作を行い、画像データを記録媒体７に記憶した後に、変位デバイス９の変形を形成する作用力Ｆ（図９）を変化させて、振動を作用させた後に、一連の処理を終了してもよい。
【００５０】
その効果として、ユーザは指先の触覚を通じて、変位デバイス９を押下した時のＡＦ動作やレリーズ動作の実行を確認することができる。
【００５１】
尚、上述した実施形態では、変位デバイス９の凸面を押下するとＡＦ動作やシャッター動作を行うことを示した。それら機能に限らず、変位デバイス９により、ズーム操作を行うＳＷやメニュー操作の行うＳＷ等の凸面を形成して、その凸面を押下することで、それら機能を実行してもよい。
【００５２】
尚、上述した実施形態では、本発明を撮像装置１に適用した場合を例にして説明した。本発明でいう撮像装置１とは、カメラ、携帯電話、タブレット機器、PDA、ゲーム機器、音楽プレーヤ、パーソナルコンピュータ等と、タッチパネルと撮像レンズを含む製品に適用可能である。
【００５３】
以上、本発明の好ましい実施形態について説明したが、本発明はこれらの実施形態に限定されず、その要旨の範囲内で種々の変形及び変更が可能である。
【符号の説明】
【００５４】
２      レンズ部
３      撮像素子
８      画像表示部
９      変位デバイス
１０    タッチ検出手段
１１    システム制御部
１１ａ  主被写体検出手段
【図１】
2019004346.tif 000003
【図２（ａ）】
2019004346.tif 000004
【図２（ｂ）】
2019004346.tif 000005
【図３】
2019004346.tif 000006
【図４（ａ）】
2019004346.tif 000007
【図４（ｂ）】
2019004346.tif 000008
【図５】
2019004346.tif 000009
【図６】
2019004346.tif 000010
【図７】
2019004346.tif 000011
【図８（ａ）】
2019004346.tif 000012
【図８（ｂ）】
2019004346.tif 000013
【図９】
2019004346.tif 000014